(57)【特許請求の範囲】
【請求項１】
基板と、
前記基板上に前記基板の長手方向に沿って直線的に配置され、前記基板の面に垂直な第１照射方向を持つ複数の第１ＬＥＤと、
前記基板上に前記複数の第１ＬＥＤの配列方向に沿って直線的に配置され、前記第１照射方向に直交する第２照射方向を持つ複数の第２ＬＥＤと、
前記複数の第１ＬＥＤの前記第１照射方向に設けられた第１拡散板と、
前記複数の第２ＬＥＤの前記第２照射方向に設けられた第２拡散板と
を具備し、
前記第１拡散板は、前記第１拡散板を透過する前記複数の第１ＬＥＤの各々の光を、前記基板の短手方向よりも前記基板の長手方向に伸びた楕円形状に拡散し、
前記第２拡散板は、前記第２拡散板を透過する前記複数の第２ＬＥＤの各々の光を、前記基板の前記面に垂直な方向よりも前記基板の前記長手方向に伸びた楕円形状に拡散する
照明装置。
【請求項２】
請求項１に記載の照明装置において、
前記複数の第２ＬＥＤの各々は、前記複数の第１ＬＥＤの各々の間に配置されている
照明装置。
【請求項３】
請求項１に記載の照明装置において、
前記複数の第２ＬＥＤの各々は、前記複数の第１ＬＥＤの各々に隣接して配置されている
照明装置。
【請求項４】
請求項１乃至３のいずれか一項に記載の照明装置において、
前記複数の第２ＬＥＤの各々が配置された補助基板を更に具備し、
前記補助基板は、前記複数の第２ＬＥＤの各々の光が前記第２拡散板を透過するように、前記基板の前記面に垂直に設けられている
照明装置。
【請求項５】
請求項１乃至３のいずれか一項に記載の照明装置において、
前記複数の第２ＬＥＤの各々の端子は、前記複数の第１ＬＥＤの各々の端子と異なる位置に設けられている
照明装置。
【発明の詳細な説明】
【技術分野】
【０００１】
本発明は、照明装置に関し、特にＬＥＤを用いた照明装置に関する。
【背景技術】
【０００２】
照明装置として、冷陰極管を用いた照明装置が知られている。冷陰極管は指向性が低いため、光を照射することができる範囲が比較的広い。したがって、一つの冷陰極管で複数の方向を同時に明るく照らすことができる。一方、ＬＥＤ（Ｌｉｇｈｔ−Ｅｍｉｔｔｉｎｇ  Ｄｉｏｄｅ）は指向性が高いため、光を照射することができる範囲が比較的狭い。したがって、一つのＬＥＤで複数の方向を同時に明るく照らすことは困難である。
【０００３】
冷陰極管を用いた照明装置の適用例として、スロットマシン用の照明装置がある。その照明装置は、指向性が低いため、スロットマシンのリールの表面部分（図柄部分）及びスロットマシン前面パネルの装飾部分の二方向を同時に照射することが可能である。
【０００４】
図１は、一般的なスロットマシンを示す概略正面図である。スロットマシン１０１には、内部のリール１０３の図柄が縦に三種類見えるように窓１０４が開いている。遊技者は、コイン投入口１０５にコインを投入し、レバー１０６を押す。それにより、三つのリール１０３が回転する。その後、遊技者は、ストップボタン１０７を押すことにより、三つのリール１０３をそれぞれ停止させる。このとき、窓１０４に表示された図柄が揃った場合、スロットマシン１０１はコインを払い戻す。また、窓１０４の上部にはビッグボーナス図柄とレギュラーボーナス図柄が記載された装飾板１０２が配置されている。
【０００５】
図２及び図３は、図１のスロットマシンにおけるリール用照明装置の一般的な配置場所を示す概略図である。図２はスロットマシン１０１の前面カバー１０１ｂが開いた状態を示している。前面カバー１０１ｂの裏面とスロットマシン本体１０１ａの正面とが示されている。リール用照明装置１０８は、一般的に装飾板１０２の裏面に配置される。図３は前面カバー１０１ｂを閉じた状態での装飾板１０２とリール１０３と窓１０４とリール用照明装置１０８との位置関係を断面的に示している。冷陰極管を用いたリール用照明装置１０８の場合、リール用の照明装置１０８の光１０９ａは、リール１０３の表面及び装飾板１０２の裏面を同時に照らすことができる。その一方で、それと同時に、リール用照明装置８の光１０９ｂは遊技者からは見えないスロットマシン本体１０１ａの内部を照らすことになる。この光１０９ｂは不必要な部分を照らす余剰な光と言える。
【０００６】
冷陰極管を照明装置として使用する場合、冷陰極管が水銀を使用しているため環境的なリスクが高いと考えられる。加えて、高電圧を発生する危険なインバータ回路が必要である。更に、上述のように、所望の方向に光を照射しながら他の方向の光を抑制することができず、不必要な部分を照らす余剰な光があるためエネルギー消費に無駄があると言える。これらの課題を解決する技術が望まれる。
【０００７】
これらの課題を解決する方法として、ＬＥＤを用いた照明装置を使用することが考えられる。特開２００２−１９７９０１号公報に、ＬＥＤを使用した線状照明の技術が開示されている。このＬＥＤ照明器具は、透光性チューブと、前記透光性チューブの内部に配置されて、面実装ＬＥＤを実装した基板とを備える。このＬＥＤ照明器具は、ＬＥＤを基板上に直線上に配置する。しかし、この場合、ＬＥＤから照射される光の指向性が強いため光のムラが起き易く、基板方向に一様な光とすることが困難であると考えられる。
【０００８】
また、特開２００６−０８０３８６号公報に、管状の本体の両端にＬＥＤを配置して線光源を実現する技術が開示されている。この光源は、管状の光源本体と、前記光源本体の開口端部に設けられた発光素子と、前記光源本体の内周面又は外周面に形成された光変換層とを少なくとも有する。前記光変換層は前記発光素子からの光を受光して前記光の波長よりも長い波長の変換光を出射する。この場合、光のムラの問題は解決できると考えられる。しかし、ＬＥＤは照射される面に対向して配置されていない。そのため、管状の光源本体の内部でより大きな光の屈折が必要となり、超光輝度ＬＥＤ光源および効率的に光を大きく屈折させる光学部材に大きなコストが必要となる。
【０００９】
環境的なリスクが少なく、危険なインバータ回路を使用せずに、所望の方向の所望の領域に少ないムラで光を照射することが可能な照明装置が望まれる。光の指向性が単一方向で点光源であるＬＥＤを照明として使用し、所望の方向の所望の領域に少ないムラで光を照射することが可能な照明装置が求められる。
【００１０】
【特許文献１】特開２００２−１９７９０１号公報
【特許文献２】特開２００６−０８０３８６号公報
【発明の開示】
【発明が解決しようとする課題】
【００１１】
本発明の目的は、環境的なリスクが少なく、危険なインバータ回路を使用せずに、複数の方向の所望の領域に、少ないムラで光を照射することが可能な照明装置を提供することにある。
【００１２】
本発明の他の目的は、光の指向性が単一方向で点光源であるＬＥＤを照明として使用し、複数の方向の所望の領域に少ないムラで光を照射することが可能な照明装置を提供することにある。
【００１３】
本発明の更に他の目的は、スロットマシン用リール及びスロットマシン前面パネルのリール上の装飾部分の二方向を少ないムラで照射できる照明装置を提供することにある。
【００１４】
本発明の別の目的は、点光源であるＬＥＤのリール表面への点状の写りこみを抑制することが可能な照明装置を提供することにある。
【００１５】
この発明のこれらの目的とそれ以外の目的と利益とは以下の説明と添付図面とによって容易に確認することができる。
【課題を解決するための手段】
【００１６】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１７】
本発明の照明装置は、基板（１０）と、複数の第１ＬＥＤ（１１）と、複数の第２ＬＥＤ（１２）と、第１拡散板（１３）と、第２拡散板（１４）とを具備する。複数の第１ＬＥＤ（１１）は、基板（１０）上に直線的に配置されている。複数の第２ＬＥＤ（１２）は、基板（１０）上に直線的に配置されている。第１拡散板（１３）は、複数の第１ＬＥＤ（１１）の第１照射方向に設けられている。第２拡散板（１４）は、複数の第２ＬＥＤ（１２）の第２照射方向に設けられている。第１照射方向は、第２照射方向と異なる。
【００１８】
上記の照明装置において、第１拡散板（１３）は、第１拡散板（１３）を透過する複数の第１ＬＥＤ（１１）の各々の光を、基板（１０）の長手方向に伸びた形状に拡散する。第２拡散板（１４）は、第２拡散板（１４）を透過する複数の第２ＬＥＤ（１２）の各々の光を、基板（１０）の長手方向に伸びた形状に拡散する。
【００１９】
上記の照明装置において、複数の第２ＬＥＤ（１２）の各々は、複数の第１ＬＥＤ（１１）の各々の間に配置されている。
【００２０】
上記の照明装置において、複数の第２ＬＥＤ（１２）の各々は、複数の第１ＬＥＤ（１１）の各々に隣接して配置されている。
【００２１】
上記の照明装置において、第１照射方向と、第２照射方向とは直交する。
【００２２】
上記の照明装置において、複数の第２ＬＥＤ（１２）の各々は、基板（１０）上に配置された補助基板（１０ｂ）に設けられている。
【００２３】
上記の照明装置において、複数の第２ＬＥＤ（１２）の各々の端子は、複数の第１ＬＥＤ（１１）の各々の端子と異なる位置に設けられている。
【発明の効果】
【００２４】
本発明により、環境的なリスクが少なく、危険なインバータ回路を使用せずに、複数の方向の所望の領域に、少ないムラで光を照射することが可能となる。
【発明を実施するための最良の形態】
【００２５】
以下、本発明の照明装置の実施の形態に関して、添付図面を参照して説明する。図４は、本発明の照明装置の実施の形態における構成を示す概略組み立て図である。照明装置８は、基板１０と、複数の第１ＬＥＤ１１と、複数の第２ＬＥＤ１２と、第１拡散板１３と、第２拡散板１４と、補強部材１５とを具備する。ここでは、第１ＬＥＤ１１及び第２ＬＥＤ１２が４個ずつの例を示しているが、本発明はこの例に限定されず、照射対象の大きさに応じて更に多く又は少なくＬＥＤを有していても良い。
【００２６】
基板１０は、略矩形形状を有する。その長手方向（Ｘ方向）の幅は、光を照射する領域の幅に応じて決定される。各ＬＥＤを制御する制御部１８（後述）を配置する張り出し部１０ａを有していても良い。
【００２７】
複数の第１ＬＥＤ１１は、トップビュー（上面発光型）ＬＥＤに例示され、基板１０上に、基板１０の長手方向（Ｘ方向）に沿って、所定の間隔で直線的に配置されている。所定の間隔で配置されることは、光のムラの抑制という点で好ましい。第１ＬＥＤ１１の光の照射方向は、基板１０の表面に垂直な方向（＋Ｚ方向）である。ここで、照射方向とは、光の強度の最も高い方向とする。
【００２８】
複数の第２ＬＥＤ１２は、サイドビュー（側面発光型）ＬＥＤに例示され、基板１０上に、基板１０の長手方向（Ｘ方向）に沿って、所定の間隔で直線的に配置されている。所定の間隔で配置されることは、光のムラの抑制という点で好ましい。第２ＬＥＤ１２の光の照射方向は、基板１０の表面に平行な方向（−Ｙ方向）である。ここで、複数の第２ＬＥＤ１２の各々は、複数の第１ＬＥＤ１１の各々の間に配置されている、すなわち、第１ＬＥＤ１１と第２ＬＥＤ１２とが交互に配置されていることが好ましい。各ＬＥＤ間の領域を有効に使用することができるからである。
【００２９】
第１拡散板１３は、複数の第１ＬＥＤ１１の照射方向に設けられている。第１拡散板１３の面は、基板１０の面と略平行である。複数の第１ＬＥＤ１１から照射された光が第１拡散板１３を透過するとき、その光を線状に近い楕円形状に拡散する（散乱し分散させる）。楕円の長径方向は、この場合、第１拡散板１３の長手方向と同じである。ただし、正確な楕円である必要はなく、ある方向に細長い形状であれば良い。ここでは、そのような形状も含めて、略楕円や略楕円形状と呼ぶことにする。
【００３０】
第２拡散板１４は、複数の第２ＬＥＤ１２の照射方向に設けられている。第２拡散板１４の面は、基板１０の面と略垂直である。複数の第２ＬＥＤ１２から照射された光が第２拡散板１４を透過するとき、その光を線状に近い略楕円形状に拡散する（散乱し分散させる）。略楕円の長径方向は、この場合、拡散板１３の長手方向と同じである。
【００３１】
補強部材１５は、第１拡散板１３と第２拡散板１４とを基板１０に対して安定的に保持させるための補強部材である。基板１０の面に略垂直な二つの補強部材１５ｂ、１５ｃと、補強部材１５ｂ、１５ｃの間に設けられ基板１０の面と略平行な補強部材１５ａとを備える。補強部材１５ａ、１５ｂ、１５ｃは、Ｘ方向から見て略コの字型に、互いに結合している。更に、補強部材１５ｂ、１５ｃは基板１０に結合する。第１拡散板１３は補強部材１５ａに、第２拡散板１４は補強部材１５ｂに取り付けられる。補強部材１５ｂは、カーボネートやアクリル等の透光性の板を用いることができる。
【００３２】
なお、第１拡散板１３と第２拡散板１４の強度が十分あり、基板１０に安定的に結合している場合には、補強部材１５を省略しても良い。その場合、第２拡散板１４は基板１０に安定的に結合され、第１拡散板１３は第２拡散板１４に安定的に結合される。
【００３３】
第１ＬＥＤ１１の光の照射方向と、第２ＬＥＤ１２の光の照射方向とは異なる方向を向いている。本実施の形態では両方向は互いに略垂直な関係にある。それにより、照明装置８は、一つの照明装置でありながら複数の方向を同時に照射することができる。
【００３４】
本実施の形態における照明装置８は、複数の第１ＬＥＤ１１と第１拡散板１３、及び、複数の第２ＬＥＤ１２と第２拡散板１４は、それぞれ基板１０の表面に垂直な方向（＋Ｚ方向）、及び、基板１０の表面に平行な方向（−Ｙ方向）に光を照射するように配置されている。しかし、照射方向はそれらに限定されるものではなく、任意に変更可能である。
【００３５】
図５Ａは、本発明の照明装置の実施の形態における照射状態を示す概略正面図である。ただし、第２拡散板１４は図示省略している。ここでは、第１ＬＥＤ１１が３個の例を示しているが、本発明はこの例に限定されず、照射対象の大きさに応じて更に多くのＬＥＤを有していても良い。第１ＬＥＤ１１は、自身が照射し第１拡散板１３で拡散された略楕円状の光１６の各々が途切れないような間隔で基板１０に配置される。すなわち、第１拡散板１３を透過した複数の第１ＬＥＤ１１の各々の光は、第１拡散板１３から予め設定された距離Ｄ１で、基板１０の長手方向（Ｘ方向）に伸びた、線状に近い略楕円形状に拡散して互いに重なっている。これにより、第１拡散板１３方向の複数の第１ＬＥＤ１１の光を、ムラの少なく直線的で連続的な線状に変換することが可能となる。基板１０の長手方向（Ｘ方向）は、照射方向（＋Ｚ方向）に略直角な方向である。
【００３６】
図５Ｂは、本発明の照明装置の実施の形態における照射状態を示す概略上面図である。ただし、第１拡散板１３は図示省略している。ここでは、第２ＬＥＤ１２が２個の例を示しているが、本発明はこの例に限定されず、照射対象の大きさに応じて更に多くのＬＥＤを有していても良い。第２ＬＥＤ１２は、自身が照射し第２拡散板１４で拡散された略楕円状の光１７の各々が途切れないような間隔で基板１０に配置される。すなわち、第２拡散板１４を透過した複数の第２ＬＥＤ１２の各々の光は、第２拡散板１４から予め設定された距離Ｄ２で、基板１０の長手方向（Ｘ方向）に伸びた、線状に近い略楕円形状に拡散して互いに重なっている。これにより、第２拡散板１４方向の複数の第２ＬＥＤ１２の光を、ムラの少なく直線的で連続的な線状に変換することが可能となる。基板１０の長手方向（Ｘ方向）は、照射方向（−Ｙ方向）に略直角な方向である。
【００３７】
図５Ａにおいて、略楕円の大きさ（長径ｄ０１、短径ｄ０２）及び重なり（ｄ２）については以下のように設定する。すなわち、目標とする距離（照射対象までの距離Ｄ１、Ｄ２）だけ離れた位置において、略楕円の重なった部分（Ｓ１）における（略楕円の）短径方向の長さ（ｄ１）が、照射対象における照射予定領域（照射対象領域）の当該短径方向の長さ（ｄ１）以上となるように設定する。加えて、連続的に並んだ略楕円形状の光における線状形状を成す部分であって、実際に照射に寄与する部分（矩形部分Ｓ０）の光の強度のムラが所定の範囲（例示：±２０％以内）に収まるように設定する。図５Ｂにおいても同様である。
【００３８】
また、距離Ｄ１の調整は、例えば、第１ＬＥＤ１１と第１拡散板１３との距離や、第１ＬＥＤ１１の特性（例示：光強度やその分布、指向角）や配置間隔や数により行うことができる。同様に、距離Ｄ２の調整は、例えば、第２ＬＥＤ１２と第２拡散板１４との距離や、第２ＬＥＤ１２の特性や配置間隔や数により行うことができる。
【００３９】
図６Ａ〜図６Ｃは、本発明の照明装置の実施の形態における第２ＬＥＤと基板との関係を示す概略側面図である。図６Ａは、第２ＬＥＤ１２の端子が側面に設けられている場合である。サイドビューＬＥＤに例示される。その場合、そのまま基板１０に配置することができる。図６Ｂ及び図６Ｃは、第２ＬＥＤ１２の端子が下側に設けられている場合である。トップビューＬＥＤに例示される。その場合には、端子を屈曲させて基板１０に配置する（図６Ｂ）、又は、追加で基板１０に垂直に配置した補助基板１０ｂに配置する（図６Ｃ）等の方法を取ることができる。なお、第１ＬＥＤ１１としては、その端子が下側に設けられている図６ＢのようなＬＥＤ（例示：トップビューＬＥＤ）を用いる。
【００４０】
ここで、第１ＬＥＤ１１及び第２ＬＥＤ１２の本発明における配置方法は、図５Ａ及び図５Ｂの配置に限定されるものではない。すなわち、拡散板を透過した複数のＬＥＤからの複数の略楕円形状の光の各々が途切れずムラが少なく連続的な線形状の照射となるように配置されていれば良い。例えば、図７のような配置が考えられる。図７は、本発明の照明装置の実施の形態における他のＬＥＤの配置方法を示す概略上面図である。この場合、互いに異なる方向を向いた第１ＬＥＤ１１と第２ＬＥＤ１２が略同一の位置に隣接して並べて配置されている。このように配置することで、照射装置８は、よりムラが少なく連続的な線形状の照射を行うことができる。ここでは、第１ＬＥＤ１１及び第２ＬＥＤ１２が５個ずつの例を示しているが、本発明はこの例に限定されず、照射対象の大きさに応じて更に多く又は少なくＬＥＤを有していても良い。
【００４１】
更に、複数の第１ＬＥＤ１１は、すべて同じ強度の光を照射する必要はない。すなわち、拡散板を透過した複数のＬＥＤからの複数の略楕円形状の光の各々が途切れずムラが少なく連続的な線形状の照射となるように、ＬＥＤごとに光の強度を変更しても良い。複数の第２ＬＥＤ１２についても同様である。このように光の強度を適切に変更することで、照射装置８は、よりムラが少なく連続的な線形状の照射を行うことができる。
【００４２】
図８Ａ及び図８Ｂは、本発明の照明装置の実施の形態における構成を示す概略側面図である。図８Ａを参照して、第１ＬＥＤ１１の照射方向は下方（＋Ｚ方向）である。その照射された光は、第１拡散板１３を透過して略楕円形状の光１６となり、基板１０の長手方向（Ｘ方向）（照射方向（＋Ｚ方向）に略直角な方向）に伸びて互いに線状に重なっている。一方、第２ＬＥＤ１２の照射方向は左方（−Ｙ方向）である。その照射された光は、第２拡散板１４を透過して略楕円形状の光１７となり、基板１０の長手方向（Ｘ方向）（照射方向（−Ｙ方向）に略直角な方向）に伸びて互いに線状に重なっている。
【００４３】
制御部１８は、複数の第１ＬＥＤ１１及び複数の第２ＬＥＤ１２に電気的に接続され、それらの動作（点灯、消灯）を電気的に制御する。制御部１８は、基板１０の裏面（ＬＥＤを搭載した面とは反対の面）における基板１０及びその張り出し部１０ａ上に設けられる。ただし、本発明はこの例に限定されるものではない。例えば、張り出し部１０ａの下側に設置しても良く（図８Ａ、制御部１８ａ）、張り出し部１０ａのない基板１０のみの裏面上に設けても良い（図８Ｂ、制御部１８ｂ）。制御部１８ａの配置の場合、基板１０におけるＬＥＤ搭載部分の裏面に冷却部をより広く確保することができ好ましい。
【００４４】
次に、本発明の照明装置を適用したスロットマシンについて説明する。スロットマシン１は、照明装置として冷陰極管を用いた照明装置１０８ではなく、本発明のＬＥＤを用いた照明装置８を備えている以外は、図１及び図２で説明されたスロットマシン１０１と同じである。すなわち、スロットマシン１は、前面カバー１ｂ、スロットマシン本体１ａ、装飾板２、リール３、窓４、コイン投入口５、レバー６、ストップボタン７、及び、照明装置８を具備する。ただし、前面カバー１ｂ、スロットマシン本体１ａ、装飾板２、リール３、窓４、コイン投入口５、レバー６、及び、ストップボタン７は、前面カバー１０１ｂ、スロットマシン本体１０１ａ、装飾板１０２、リール１０３、窓１０４、コイン投入口１０５、レバー１０６、及び、ストップボタン１０７と同じである。
【００４５】
図９は、本発明の照明装置を適用したスロットマシンを示す概略部分断面図である。図９は本体前面カバー１ｂを閉じた状態での装飾板２とリール３と窓４と照明装置８との位置関係を断面的に示している。ＬＥＤを用いたリール用の照明装置８の場合、照明装置８を、図４における第１拡散板１３をリール３の方向に、第２拡散板１４を装飾板２の方向にそれぞれ向くように、前面カバー１ｂに取り付け配置する。そのとき、照明装置８の光９のうち、第１ＬＥＤ１１からの光１６はリール３の表面（図柄のある面）を照らす。一方、第２ＬＥＤ１２からの光１７は装飾板２の裏面を照らす。すなわち、一台の照明装置８により、リール３の表面と装飾板２の裏面とを同時に照射することができる。このとき、光１６及び光１７は、基板１０の長手方向（Ｘ方向）に連続的な線状でムラの少ない光なので、それぞれリール３の表面と装飾板２の裏面とをムラなく均一性の高い光で照らすことができる。また、第１ＬＥＤ１１及び第２ＬＥＤ１２は指向性を有しているので、不必要な部分を照らす余剰な光をきわめて少なくすることができる。
【００４６】
なお、第２拡散板１４については、装飾板２に十分な拡散能力がある場合は単なる透明板を用いてもよい。又は、第２拡散板１４を用いるにしても、装飾板２の拡散能力を考慮して、第２拡散板１４で光１７を直線的で連続的な線状にする必要はない。
【００４７】
本発明の照明装置は、第１ＬＥＤ（例示：トップビューＬＥＤ）と第２ＬＥＤ（例示：サイドビューＬＥＤ）とを直線状に交互に搭載された基板と、それぞれのＬＥＤの照射方向に対向する位置に配置され光を線状に近い略楕円形状に拡散する拡散板とを備えることにより、二方向に同時に照射することが可能となる。それにより、本照明装置をスロットマシンに適用した場合、リールの表面（図柄のある面）及び前面リール上の装飾面の裏面への照射を同時に行うことが可能となる。
【００４８】
本発明の照明装置は、第１ＬＥＤ（例示：トップビューＬＥＤ）からの拡散された略楕円形状の各々の光が途切れないような間隔で、第１ＬＥＤを配置している。それにより、極めてムラの少ない線状のリール用の照明が実現可能となるとともに、リール面への点状の写りこみが排除可能となる。また、第１ＬＥＤがリール面の対面に配置されるため、そのリール面を効率良く照らすことが可能となる。
【００４９】
本発明の照明装置は、第２ＬＥＤ（例示：サイドビューＬＥＤ）からの拡散された略楕円形状の各々の光が途切れないような間隔で、第２ＬＥＤを配置している。それにより、リール面と同様に、極めてムラが少ない線状の装飾面の裏面用の照明が実現可能となる。また、第２ＬＥＤが装飾面の裏面の対面に配置されているため、その装飾面の裏面を効率良く照らすことが可能となる。
【００５０】
以上のように、本発明の照明装置により、冷陰極管に必要な高電圧を発生する危険なインバータ回路が不要となる。また、環境的なリスクの高い冷陰極管が不要となる。すなわち、環境的なリスクが少なく、危険なインバータ回路を使用せずに、複数の方向の所望の領域に、少ないムラで光を照射することが可能である。また、指向性が単一方向で点光源であるＬＥＤを照明として使用し、複数の方向の所望の領域に少ないムラで光を照射することが可能となる。すなわち、スロットマシン用リール及びスロットマシン前面パネルのリール上の装飾部分の二方向を少ないムラで照射できる。そのとき、点光源であるＬＥＤのリール表面への点状の写りこみを抑制することが可能となる。
【００５１】
本発明は上記各実施の形態に限定されず、本発明の技術思想の範囲内において、各実施の形態は適宜変形又は変更され得ることは明らかである。
【図面の簡単な説明】
【００５２】
【図１】図１は、一般的なスロットマシンを示す概略正面図である。
【図２】図２は、図１のスロットマシンにおけるリール用照明装置の一般的な配置場所を示す概略図である。
【図３】図３は、図１のスロットマシンにおけるリール用照明装置の一般的な配置場所を示す概略断面図である。
【図４】図４は、本発明の照明装置の実施の形態における構成を示す概略組み立て図である。
【図５Ａ】図５Ａは、本発明の照明装置の実施の形態における照射状態を示す概略正面図である。
【図５Ｂ】図５Ｂは、本発明の照明装置の実施の形態における照射状態を示す概略上面図である。
【図６Ａ】図６Ａは、本発明の照明装置の実施の形態における第２ＬＥＤと基板との関係を示す概略側面図である。
【図６Ｂ】図６Ｂは、本発明の照明装置の実施の形態における第２ＬＥＤと基板との関係を示す概略側面図である。
【図６Ｃ】図６Ｃは、本発明の照明装置の実施の形態における第２ＬＥＤと基板との関係を示す概略側面図である。
【図７】図７は、本発明の照明装置の実施の形態におけるＬＥＤの他の配置方法を示す模式図である。
【図８Ａ】図８Ａは、本発明の照明装置の実施の形態における構成を示す概略側面図である。
【図８Ｂ】図８Ｂは、本発明の照明装置の実施の形態における他の構成を示す概略側面図である。
【図９】図９は、本発明の照明装置を適用したスロットマシンを示す概略部分断面図である。
【符号の説明】
【００５３】
１、１０１    スロットマシン
１ａ，１０１ａ    スロットマシン本体
１ｂ、１０１ｂ    前面カバー
２、１０２    装飾板
３、１０３    リール
４、１０４    窓
５、１０５    コイン投入口
６、１０６    レバー
７、１０７    ストップボタン
８、１０８    照明装置
９、９ａ、９ｂ、１０９、１０９ａ、１０９ｂ    光
１０    基板
１０ａ    張り出し部
１１    第１ＬＥＤ
１２    第２ＬＥＤ
１３    第１拡散板
１４    第２拡散板
１５    補強部材
１５ａ、１５ｂ、１５ｃ、１５    補強部材
【図１】
0005019219.tif 000002
【図２】
0005019219.tif 000003
【図３】
0005019219.tif 000004
【図４】
0005019219.tif 000005
【図５Ａ】
0005019219.tif 000006
【図５Ｂ】
0005019219.tif 000007
【図６Ａ】
0005019219.tif 000008
【図６Ｂ】
0005019219.tif 000009
【図６Ｃ】
0005019219.tif 000010
【図７】
0005019219.tif 000011
【図８Ａ】
0005019219.tif 000012
【図８Ｂ】
0005019219.tif 000013
【図９】
0005019219.tif 000014